(57)【要約】【課題】  物品を収納して保管、運搬する容器であって、物品の収納時は容器の高さを伸長して箱状に組み上げ、物品を収納しないときは容器の高さを縮小して容器自体の保管、運搬を便利にするものにおいて、上記容器の伸長および縮小の操作が簡単で、かつ労力も不要なたたみ込める容器を提供する。【解決手段】  多数の断面長方形筒を入れ子式に組み合わせ、隣接する外側の筒が内側の筒を支持できるようにすると共に最外側筒１に突っ張り板４の基端を枢着し、筒１を持ち上げると自動的に突っ張り板４の先端が最内側の筒３に係止される。【選択図】  図  ５
2005206233.tif 000002
【特許請求の範囲】
【請求項１】
断面長方形の外筒（１）、中筒（２）および内筒（３）を有し、それら筒の最外側に外筒（１）が、最内側に内筒（３）が、そして外筒（１）と内筒（３）の間に少なくとも１個の中筒（２）が、互に隣接する筒相互で伸縮自在に組み付けられており、中筒（２）および内筒（３）はそれらの筒長を等しくすると共に外筒（１）は、その筒長を中筒（２）および内筒（３）の筒長より所定量大きくし、外筒（１）の左右の短辺側の側板内面上方にはそれぞれ突っ張り板（４）の基端（５）を枢着すると共に、内筒（３）の下端には外筒（１）の断面外形に合致する形状を有し外筒（１）が載置される部分の内側全域または該載置される部分に内接する区域を前記載置される部分よりも前記所定量程度下方へ向けて肉厚にした底板（６）が取り付けられ、外筒（１）および中筒（２）の各４側板の内面下端には支持片（７）を設けると共に中筒（２）および内筒（３）の左右の短辺側の側板の上端中央寄りには前記突っ張り板（４）の厚みに相当する深さの溝（８）を、また溝（８）の両側における筒外面上端および対向する２つの長辺側の側板外面上端には被支持片（９）を設けて、隣接する筒相互における外側の筒の支持片（７）が内側の筒の被支持片（９）を支持するようにし、たたみ込んだ状態においては、外筒（１）、中筒（２）および内筒（３）が底板（６）上に並立して中筒（２）および内筒（３）は外筒（１）より所定量低い上端位置となり、上方に伸長させた状態では、垂下した突っ張り板（４）の先端が内筒（３）の前記溝（８）の上面に当たり、突っ張り板（４）を介して外筒（１）および中筒（２）が順次支持されて箱状に組み上がるたたみ込める容器。
【発明の詳細な説明】
【技術分野】
【０００１】    本発明は容器、とりわけアルミ缶等のリサイクル廃棄物の分別収集容器としてイベント会場等臨時の集会場で使用するのに便利なたたみ込める容器であって、使用時にはその高さを伸長して箱状に組み上げ、不使用時には高さを小さくして容器の全構成要素をコンパクトな形にまとめることができる容器に関する。
【背景技術】
【０００２】    各種の物品を収納、保管又は運搬する容器であって、物品を収納していないときには高さを小さくして容器自体の保管、運搬を便利にすると共に、その使用時においては高さを伸長して箱状に組み立てることができるようにした折りたたみコンテナーが知られている。（特許文献１参照）【０００３】    このようなコンテナーの基本構成は図７に示す如く、上方フレーム１２、底板１３、ヒンジ部１９で折り曲げ可能な上側板１７および下側板１８からなる側板１６、および取付軸１５によって回動し得るように上記フレーム１２に枢着されたあおり板１４を備えた折りたたみコンテナー１１であって、コンテナーを折りたたむときは、図７の状態より両側板１６を更に折り曲げて上方フレーム１２を底板１３上に重ねるとコンテナーは薄いコンパクトな形状となり、また図７の状態より両側板１６を立ててあおり板１４を起こせば組み立てられた箱状となる。
【特許文献１】特開平９−１８８３３３号公報
【発明の開示】
【発明が解決しようとする課題】
【０００４】    上記コンテナーは縮小したときの形状が非常にコンパクトではあるが、その縮小および伸長の操作は若干面倒な作業を要する。あおり板１４は側板１６と共に容器の側壁となる部分であるから組立完了時においては、両者はそれらの端部間が密着するよう互いに圧接状態にある。したがってコンテナーを折りたたむときには側板１６に対して圧接状態で直立しているあおり板１４を手で強く押して内方へ回動させる必要があり、組み立てるときには、あおり板１４の起立の最終行程であおり板１４をその直立姿勢に向けて内側から強く押す必要がある。
【課題を解決するための手段】
【０００５】    本発明のたたみ込める容器は、最外側の外筒と最内側の内筒の間に少なくとも１個の中筒を、互いに隣接する筒相互が筒軸方向に伸縮自在に組み付けられた基本的構成を有する。【０００６】    全ての筒は断面長方形で外筒は他の筒より所定量長い。これにより筒が縮小した状態での容器の上端は外筒の内側の他の全ての筒によって前記所定量窪んでいる。内筒の下端には底板を取り付ける。底板は外筒の断面外形に合致する形状とし、容器を縮小させたとき、底板における内筒の外側に内筒以外の全筒が降下して内筒を含めた全筒が並列状態となる。底板は、外筒が載置される部分に較べてその内側が前記所定量だけ下方に突出した厚みを有している。したがって、たたみ込まれた本発明容器の上に他の本発明容器を積み重ねると容器上端の窪みに他の容器下端の凸部が嵌まり両者に横方向のずれが生じない。【０００７】    外筒の左右の短辺側の側板内面上方には突っ張り板の基端を枢着すると共に外筒および中筒の各４側板の内面下端には支持片を設ける。中筒および内筒の左右の短辺側の側板の上端中央寄りには前記突っ張り板の厚みに相当する深さの溝を、また溝の両側における筒外面上端および対向する２つの長辺側の側板外面上端には被支持片を設けて隣接する筒相互における外側の筒の支持片が内側の筒の被支持片を支持するようにする。たたみ込んだ状態においては、外筒、中筒および内筒が底板上に並立すると共に突っ張り板は中筒および内筒の側板上端中央寄りの前記溝内に収納されて中筒および内筒の上端面と同一面を形成し、縮小時の容器はあたかも蓋をしてある如き整然とした体裁となる。上方に伸長させた状態では、垂下した突っ張り板の先端が内筒上端の溝の上面に当たり、突っ張り板を介して外筒および中筒が順次支持され、容器として使用可能な伸長状態を保持する。
【発明の効果】
【０００８】    本発明は、容器を伸長した状態での保持を、従来のあおり板のような容器側壁の構成要素ではなく、別途設けた突っ張り板を筒体に対して軽く係止させて行なうようにしたので容器の伸長および縮小操作が楽に行なえる。特に容器の伸長操作では、外筒を持って単に持ち上げるだけで容器の伸長姿勢が維持される。縮小操作では、突っ張り板の先端（下端）を内筒の溝から外すだけでよい。
また、縮小した容器の上面の窪みに他の容器下面の凸部が係合するようにしたので縮小した容器を多段に積み重ねても互いに横ずれしない。
【発明を実施するための最良の形態】
【０００９】    本発明を実施するための形態を図１〜６を参照して説明する。図１は本発明の容器の平面図で外筒１と内筒３間に少なくとも１個の中筒２が、隣接する筒相互で伸縮自在に組み付けられる。外筒１の左右の短辺側の側板内面上方には突っ張り板４の基端５がそれぞれ枢着される。この枢着は側板と突っ張り板基端の嵌合の如く蝶番を用いないものであってもよい。【００１０】    図１は、容器がたたみ込まれて縮小した状態のものを示しているので突っ張り板４は水平状態になっている。縮小した容器の断面は図２と図４で示され、図２は突っ張り板４を通る断面図で、突っ張り板４は中筒２および内筒３の上端と同じ高さになるようにされる。上記各筒上端の位置は、突っ張り板４および溝８を逸れた断面図である図４に示される各筒側板上端の位置と同じ高さで、外筒上端より所定量窪んでいる。この窪み量は底板６における外筒１が載置される部分よりその内側が下方に突出した厚みを有するその突出量に合致する。その底板６における下方への突出域は、外筒１が載置される部分の内側全域であってもよいが外筒１が載置される部分に内接する区域のみであってもよい。後者の例は、外筒１が載置される部分の内縁に隣接する長方形の枠や、さらにその枠の四隅部のみを考えることができる。【００１１】    図３および図５は、いずれも容器を伸長した状態の断面図で、図３は図２と同じく図１のＡ−Ａ断面相当、図５は図４と同じく図１のＢ−Ｂ断面相当である。
突っ張り板４は容器の伸長時、基端５が外筒１と共に持ち上げられ、基端５を上方にして容器内側へ向って急傾斜したほぼ直立状となる。そして突っ張り板４の下端は内筒３の短辺側の側板上端中央寄りの溝８の上面に乗り、下降を阻止された突っ張り板４は基端５を介して外筒１を支持し、外筒１は中筒２を支持して容器全体が伸長状態を維持する。筒相互の支持は、図５に示すよう外筒１および中筒２の支持片７がそれぞれ中筒２および他の中筒２の被支持片９を支持する。容器を地面や床から完全に持ち上げるときは、他の中筒２の支持片７が内筒３の被支持片９を支持して容器全体が持ち上がるが、容器を下に置くと内筒３は底板６と共に地面又は床に支持され中筒２と内筒３の直接の支持関係はなくなる。突っ張り板４の下端が内筒３の溝８の上面に確実に安定して載ることができるように、中筒２の短辺側の側板の溝部内側を図３の符号１０で示すように斜めにカットする。内筒３はカットされていないので突っ張り板４の下端は内筒の溝８の上面に確実に乗ることができる。上記カット部１０に代えて内筒３の短辺側の側板を中筒２の短辺側の側板よりも肉厚にしたり、突っ張り板４の下端が内筒３の真上になるように突っ張り板４の下方脚部を短くすることによっても突っ張り板の下端は内筒３の溝８上面に載るが、前者は材料と重量が増加し、後者は突っ張り板の長さが不足して、容器の容量が減少する欠点がある。なお、この突っ張り板４としての必要な長さは、中筒２の筒長に外筒と中筒の筒数の和を掛けた長さから筒相互の支持部の重複分を差し引いた長さとほぼ同じであるが、図１に示す外筒長辺のほぼ半分の場合でも不足するときは、各突っ張り板の長さを外筒長辺の半分以上とし、それらの先端を互い違いに突き合わせる。【００１２】    本発明容器の製作時の組み立て順序は、先ず外筒１の内側に中筒２を上方から降ろし、次に中筒２の内側に、底板６を取り付ける前の内筒３を上方から降ろし、最後に内筒３に底板６を取り付けると共に突っ張り板４を外筒１に枢着する。
本発明容器の材質は限定されないがプラスチック製とすれば清潔で水洗いも楽である。また各筒および突っ張り板４に小孔を多数設けておくと風通しがよく収納品の水気を乾燥させると共に収納品の確認にも役立つ。
【図面の簡単な説明】
【００１３】
【図１】  本発明容器の縮小状態の平面図
【図２】  図１のＡ−Ａ線による縦断面図
【図３】  図２と同じ断面による伸長状態の左半部
【図４】  図１のＢ−Ｂ線による縦断面図
【図５】  図４と同じ断面による伸長状態の左半部
【図６】  中筒（内筒）短辺側の側板の各半部を左（右）側に示す正面図
【図７】  従来の折りたたみコンテナーの斜視図
【符号の説明】
【００１４】    １  外筒
２  中筒
３  内筒
４  突っ張り板
５  基端
６  底板
７  支持片
８  溝
９  被支持片
１０  カット部
【図１】
2005206233.tif 000003
【図２】
2005206233.tif 000004
【図３】
2005206233.tif 000005
【図４】
2005206233.tif 000006
【図５】
2005206233.tif 000007
【図６】
2005206233.tif 000008
【図７】
2005206233.tif 000009